(57)【要約】【課題】供給量に制限のない連続した送気又は送水を容易に行い、内視鏡装置の携帯化、簡易化に繋がる送気又は送水に関する機器の携帯化、簡易化を図る。【解決手段】側面にシリンジ口２０を形成した筒体１５、第１通気路２２を形成したピストン体１６、開閉する第２通気路２６を形成した押操作部１８を備え、この押操作部１８では、第２バネ２９にて復帰する押体２８を設け、この押体２８が押されたとき、第２通気路２６が開状態となるように構成し、また押されたピストン体１６を元の位置へ復動させる第１バネ１７を配置する。上記押体２８が押されたとき、開状態となった第２通気路２６と第１通気路２２を介して外部空気を筒体内に流入させながらピストン体１６を往動させ、押体２８の操作が解除されたとき、第２通気路２６を閉状態とし、第１バネ１７によってピストン体１６を復動させながらシリンジ口２０から送気を行う。【選択図】図１
2010046333.tif 000002
【特許請求の範囲】
【請求項１】
側面にシリンジ口を形成した筒体と、
この筒体内面に密着して往復動し、外部空気を筒体内へ流入させる第１通気路を形成したピストン体と、
このピストン体と上記筒体との間に配置され、往動した該ピストン体を元の位置へ復動させる第１付勢部材と、
上記ピストン体に対し往復動するように連結され、該ピストン体の押部となる押体を有し、この押体の往動時に開状態、復動時に閉状態となり、この開状態のとき、上記第１通気路に連通して外部空気を筒体内へ流入させるための第２通気路を形成した押操作部と、
この押操作部の押体と上記ピストン体との間に配置され、押し操作で往動させた該押体を元の位置へ復動させる第２付勢部材と、を含んでなり、
上記押操作部の押体が押されたとき、開状態となった第２通気路と第１通気路を介して外部空気を上記筒体内へ流入させながら上記ピストン体を往動させ、上記押体の押し操作が解除されたとき、上記第２通気路を閉状態とし、上記第１付勢部材によってピストン体を元の位置へ復動させながら上記シリンジ口から送気を行う自動復帰式シリンジ。
【請求項２】
請求項１記載の自動復帰式シリンジを内視鏡装置の送気／送水機器として用い、上記筒体のシリンジ口を内視鏡の送気ポートに管接続し、又は内視鏡の送水ポートに管接続された送水タンクに管接続することを特徴とする自動復帰式シリンジを用いた内視鏡装置。
【請求項３】
送気管と送水管が配設された筒状の受け部と、この受け部内に上下動可能に配置され、１段目押部により押し下げられたとき上記受け部の送気管に連通する連結路が形成された第１軸体と、この第１軸体の外周側に上下動可能に配置され、２段目押部により押し下げられたとき上記受け部の送水管に連通する連結路が形成された第２軸体と、を有してなる送気／送水操作部を設け、
この送気／送水操作部の１段目押部及び２段目押部の操作により上記自動復帰式シリンジを用いて送気又は送水を実行することを特徴とする請求項２記載の自動復帰式シリンジを用いた内視鏡装置。
【発明の詳細な説明】
【技術分野】
【０００１】
本発明は、送気／送水（送気又は／及び送水）を行うことができる自動復帰式シリンジ、及び内視鏡内の送気管又は送水管を利用して送気又は送水を行い、かつ携帯できる内視鏡装置の送気／送水のためのシリンジの構成に関する。
【背景技術】
【０００２】
図９には、従来の内視鏡装置の構成が示されており、内視鏡（スコープ）は、例えば観察窓を含む対物光学系や固体撮像素子を備えた先端部１Ａ、湾曲部を介して設けられた操作部１Ｂ等を有する。この内視鏡には、先端面に配置された観察窓を洗浄するために、送気／送水管３ａと、この送気／送水管３ａから分岐する送気管３ｂ及び送水管３ｃが配設され、操作部１Ｂに、送気管３ｂと送水管３ｃの切替えと送気／送水の操作をする送気／送水ボタン４ａが設けられる。
【０００３】
また、上記送水管３ｃには、洗浄水を入れた送水タンク６を介して、送気／送水用のポンプ８が接続され、送気管３ｂには、直接、送気／送水用のポンプ８が接続される。なお、この操作部１Ｂには、吸引ボタン４ｂ、カメラシャッタボタン４ｃが配置されると共に、内視鏡内に配設された処置具挿通チャンネルに処置具を導入するための鉗子口５等が設けられる。
【０００４】
図１０には、上記送気／送水ボタン４ａを有する送気／送水操作部の構成が示されており、この送気／送水操作部には、受け部１０の内部に軸部（押部及びピストン）１１がスプリングを介して上下動可能に配置され、この軸部１１の上部が送気／送水ボタン４ａとなる。そして、上記受け部１０に、送気管３ｂと送水管３ｃが配管され、上記軸部１１には、送気路１２Ｅ、大気開放路１２Ｆ、送水路１３Ｅが形成される。
【０００５】
このような内視鏡装置によれば、ポンプ８の作動で送られる空気は送気管３ｂから大気開放路１８Ｆを介して大気に流れており、上記送気／送水ボタン４ａ（軸部１１）の上面を押え、大気開放管１２Ｆを塞いだとき（送気操作）、送気路１２Ｅが送気管３ｂに連通することで、ポンプ８からの送気が先端面のノズルから観察窓に対して行われる。一方、送気／送水ボタン４ａを押すと（送水操作）、送気管３ｂが閉じて送水路１３Ｅが送水管３ｃに連通することで、送水タンク６内の洗浄水が観察窓へ向けて噴射される。このような送気と送水により、観察窓に付着した汚れ等を除去し、被観察体の観察状態を良好に保つことができる。
【特許文献１】特開２００３−１３５３９１号公報
【発明の開示】
【発明が解決しようとする課題】
【０００６】
しかしながら、従来の内視鏡装置において送気／送水を行う場合は、上述のように送気／送水用ポンプ（装置）８が必要となり、この送気／送水用ポンプ８を配置した施設以外の場所では、内視鏡を使用することが困難であるという問題があった。
【０００７】
内視鏡装置の携帯化は、設備の整った施設以外の各種場所での使用、ベッドサイドでの使用、緊急時の使用等を可能にし、また構成の簡易化は、コストの低減に繋がり、送気又は送水に関する機器の携帯化、簡易化ができれば、利便性の高い内視鏡装置を提供できることになる。
【０００８】
また、一般に用いられるシリンジでは、手動でピストンを押し操作することで、送気又は送水のいずれかを１回行うことができるが、供給量の制限のない連続した送気又は送水を容易に行うことはできなかった。
【０００９】
本発明は上記問題点に鑑みてなされたものであり、その目的は、供給量に制限のない連続した送気又は送水を容易に行うことができる自動復帰式シリンジ、及び内視鏡装置の携帯化、簡易化に繋がる送気又は送水に関する機器の携帯化、簡易化を図ることが可能になる自動復帰式シリンジを用いた内視鏡装置を提供することにある。
【課題を解決するための手段】
【００１０】
上記目的を達成するために、請求項１の発明に係る自動復帰式シリンジは、側面にシリンジ口を形成した筒体と、この筒体内面に密着して往復動し、外部空気を筒体内へ流入させる第１通気路を形成したピストン体と、このピストン体と上記筒体との間に配置され、往動した該ピストン体を元の位置へ復動させる第１付勢部材と、上記ピストン体に対し往復動するように連結され、該ピストン体の押部となる押体を有し、この押体の往動時に開状態、復動時に閉状態となり、この開状態のとき、上記第１通気路に連通して外部空気を筒体内へ流入させるための第２通気路を形成した押操作部と、この押操作部の押体と上記ピストン体との間に配置され、押し操作で往動させた該押体を元の位置へ復動させる第２付勢部材と、を含んでなり、上記押操作部の押体が押されたとき、開状態となった第２通気路と第１通気路を介して外部空気を上記筒体内へ流入させながら上記ピストン体を往動させ、上記押体の押し操作が解除されたとき、上記第２通気路を閉状態とし、上記第１付勢部材によってピストン体を元の位置へ復動させながら上記シリンジ口から送気を行うことを特徴とする。
請求項２の発明に係る自動復帰式シリンジを用いた内視鏡装置は、請求項１記載の自動復帰式シリンジを内視鏡装置の送気／送水機器として用い、上記筒体のシリンジ口を内視鏡の送気ポートに管接続し、又は内視鏡の送水ポートに管接続された送水タンクに管接続することを特徴とする。
【００１１】
請求項３に係る自動復帰式シリンジを用いた内視鏡装置は、送気管と送水管が配設された筒状の受け部と、この受け部内に上下動可能に配置され、１段目押部（送気押部）により押し下げられたとき上記受け部の送気管に連通する連結路が形成された第１軸体と、この第１軸体の外周側に上下動可能に配置され、２段目押部（送水押部）により押し下げられたとき上記受け部の送水管に連通する連結路が形成された第２軸体と、を有してなる送気／送水操作部を設け、この送気／送水操作部の１段目押部及び２段目押部の操作により上記自動復帰式シリンジを用いて送気又は送水を実行することを特徴とする。
【００１２】
本発明の構成によれば、第２付勢部材に抗して押操作部の押体を親指等で押し、該押体を往動させると（第１段押し操作）、押操作部内の第２通気路が開状態となり、次いで第１付勢部材に抗して押体でピストン体を押すと（第２段押し操作）、第１通気路と第２通気路を介して外部空気が筒体内まで流入しながら、ピストン体が往動し先端側へ移動する。その後、押し操作を解除すると、第２付勢部材により押体が復動し、押操作部内の第２通気路が閉状態となって第１通気路と第２通気路からの空気流入が停止するが、同時に、第１付勢部材によってピストン体が復動することになり、この結果、筒体内の空気によってシリンジ口からの送気が行われる。このピストン体は、第１付勢部材によって自動的に元の位置へ戻り、押操作部の繰返しの操作によって、筒体内の容量に関係なく、連続して送気を行うことが可能となる。
【００１３】
更に、請求項２又は３に係る内視鏡装置の場合は、上記シリンジ口を内視鏡の送気ポートに管接続することにより、内視鏡の送気管を介して例えば観察窓に対する送気を行うことができ、また上記シリンジ口を送水タンクに接続することにより、この送水タンク内の水を内視鏡の送水ポートから送水管へ供給し、観察窓に対する送水を実行することができる。
【００１４】
また、請求項３の構成では、シリンジ口を送気ポート又は送水ポートに接続した後、ピストン体を押した状態にしておけば、送気／送水のための送気力チャージが行われた状態となり、送気／送水操作部における第１軸体の１段目押部の操作で必要に応じた量の送気が適宜かつ容易に行え、また第２軸体の２段目押部の操作で必要に応じた量の送水が適宜かつ容易に行えることになる。
【発明の効果】
【００１５】
本発明の自動復帰式シリンジによれば、押体による２段階の押し操作を繰り返すことで、供給量に制限のない連続した送気又は送水を容易に行うことができるという効果がある。
また、自動復帰式シリンジを用いた内視鏡装置によれば、送気／送水に関する機器の携帯化、簡易化、ひいては内視鏡装置の携帯化、簡易化が可能となり、設備の整った施設以外の各種場所、ベッドサイド、緊急時等における内視鏡の使用が容易となり、利便性の高い内視鏡装置が得られるという効果がある。
【発明を実施するための最良の形態】
【００１６】
図１乃至図５には、実施例に係る自動復帰式シリンジの構成が示され、図６乃至図８には、図１の自動復帰式シリンジを内視鏡装置に適用した場合の構成が示されている。図１において、実施例のシリンジは、円筒状の筒体１５、ピストン体（スライダー）１６、第１バネ１７及び押操作部１８を有してなる。上記筒体１５には、その先端面に開口（通気口）１５ａが形成され、後端部が例えばゴム部材からなる仕切り板１９によって塞がれており、側面に、シリンジ口２０が設けられる。
【００１７】
一方、ピストン体１６は、上記筒体１５の内面に密着しながら摺動（往復動）する所定厚さの円板状のピストン部（例えばゴム部材からなる摺動部）１６ａ、このピストン部１６ａを支持する円柱棒状の軸部１６ｂを備え、この軸部１６ｂの径方向中心部に第１通気路（管路）２２が設けられており、この第１通気路２２は、軸部後端口２２Ｒから軸部先端側側面口２２Ｆまで形成される。上記ピストン部１６ａは、軸部１６ｂの外周の環状溝部に、円板状ゴム部材の中心貫通孔を嵌合・配置することで形成される。
【００１８】
また、この軸部１６ｂの後端部に、上記押操作部１８が一体的に設けられており、この押操作部１８は、図５の拡大図にも示されるように、ピストン体１６側の支持円板部１６ｃ、第２通気路２６を形成するための小円板部１６ｄ、Ｏリング２７、円形冠状の押体２８、第２バネ（スプリング）２９を有してなる。即ち、上記小円板部１６ｄには、その下側（先端側）に形成された段差部に、Ｏリング２７が取り付けられ、また図４（Ａ），（Ｂ）に示されるように、第２通気路２６の一部を構成するための通気溝Ｅ１が小円板部１６ｄの外周の複数箇所（例えば４箇所）に切込み形成される。
【００１９】
上記冠状押体２８には、その下側（先端側）の中心部に上記小円板部１６ｄの半径よりも少し小さな半径の円形空洞を形成する円形皿状体で、その中心位置に円形開口３０ａを開けた囲い体３０が設けられ、この囲い体３０内に上記小円板部１６ｄが配置される。また、この囲い体３０には、図４（Ｃ），（Ｄ）に示されるように、その底面部（先端側）の円周方向の複数箇所（例えば４箇所）に、円形開口３０ａから外周側へ向けて形成された通気溝Ｅ２が設けられる。そして、この押体２８を後端方向へ付勢するように、冠状押体２８と上記支持円板部１６ｃとの間に第２バネ２９が配置される。
【００２０】
このような押操作部１８の構成によれば、図５（Ａ）に示されるように、押体２８の操作解除時では、第２バネ２９の付勢によって押体２８が後端側へ移動し、その囲い体３０の内面（皿形底面部の内面）が小円板部１６ｄ下側のＯリング２７に密着するので、第２通気路２６が閉状態となる。一方、図５（Ｂ）に示されるように、押体２８の押し操作時では、押体２８が先端側のピストン体側へ移動し、囲い体３０の内面がＯリング２７から離れるので、第１通気路２２から連通する第２通気路２６が開状態となる。即ち、第２通気路２６は、第１通気路２２に連通する囲い体３０内の空間、通気溝Ｅ１、円形開口３０ａ、通気溝Ｅ２からなり、この通気溝Ｅ２から外部空気が導入される。
【００２１】
更に、上記第１バネ（スプリング）１７は、上記筒体１５の後側のフランジ部１５ｂと押操作部１８の支持円板部１６ｃとの間に（それぞれに係合する状態で）配置され、押されたピストン体１６を元の位置へ復帰（復動）させることができる。
【００２２】
このような自動復帰式シリンジによれば、図１（Ａ）の基本状態（不操作時）から、押体２８（押操作部１８）を親指等で第２バネ２９の付勢力に抗して押すと（第１段目押し）、図５（Ｂ）にも示されるように、押体２８がピストン体側へ移動することで、囲い体３０の内面がＯリング２７から離れ、囲い体３０内空間、通気溝Ｅ１、円形開口３０ａ、通気溝Ｅ２からなる第２通気路２６が開状態となる。次いで、押体２８を第１バネ１７の付勢力に抗して押すと（第２段目押し）、外部の空気が第２通気路２６を通り、第１通気路２２（後端口２２Ｒ、先端側側面口２２Ｆ）を介して筒体１５内へ流入し、また筒体１５内のピストン部１６ａの前側の空気が開口１５ａから流出することで、シリンジ口２０から吸気することなく、ピストン体１６を先端側位置まで往動させることができ、図１（Ｂ）の状態となる。
【００２３】
この図１（Ｂ）の状態で、押体２８の操作を解除すると、図５（Ａ）にも示されるように、囲い体３０内面がＯリング２７に密着し、第２通気路２６が閉状態となって、外部空気が第１通気路２２を介して筒体１５内へ流入しなくなり、第１バネ１７によってピストン体１６が復動し、筒体１５内の空気がシリンジ口２０から送られる。従って、このシリンジ口２０をチューブ等により目的部に連結すれば、目的部に送気を行うことができ、送水部に連結すれば、送水部を介して送水をすることもできる。上記押体２８による２段階の押し操作は、送気後に繰り返して行うことができ、連続した複数回の操作で、量に制限のない送気が実行可能となる。
【００２４】
図６は、上記の自動復帰式シリンジを送気／送水機器として内視鏡装置に適用したときの構成であり、図示されるように、内視鏡操作部３２には、送気ポート（送気管接続口）３３、送水ポート（送水管接続口）３４が設けられる。そして、上記送気ポート３３に、二股（分岐）チューブの一方の連結チューブ３６ａを介して自動復帰式シリンジのシリンジ口２０が接続され、二股チューブの他方の連結チューブ３６ｂが送水タンク３７（一方の接続口）に接続配置され、この送水タンク３７（他方の接続口）が連結チューブ３６ｃを介して上記送水ポート３４に接続される。また、この内視鏡操作部３２には、送気／送水操作部３９が設けられている。
【００２５】
図７には、上記送気／送水操作部３９の内部構成が示されており、この送気／送水操作部（送気管及び送水管開閉機構）３９は、送気管４１と送水管４２が配設された筒状の受け部４３、この受け部４３内に上下動可能に配置された第１軸体（ピストン）４４、この第１軸体４４の外周側に配置され、第１軸体４４の上側への移動を、内径を小さくした段差部４５ｃで規制する第２軸体４５を有してなる。上記第１軸体４４には、押し下げられたとき送気管４１と連通する連結路（軸体内に貫通する孔）４４Ｅが形成されると共に、上部に１段目押部（送気押部）４４ａが設けられ、上記第２軸体４５には、押し下げられたとき送水管４２と連通する連結路（外周径を小さくした部分）４５Ｅが形成されると共に、上部に接続部材４５ｂを介して２段目押部（送水押部）４５ａが設けられる。１段目押部４４ａは、２段目押部４５ａの中心貫通孔に上下動可能に配置される。
【００２６】
上記第２軸体４５は、受け部４３側の支持板４７によって上側への移動が規制され、上記第１軸体４４は、上述のように、第２軸体４５によって上側の移動が規制される。また、第１軸体４４の押部４４ａの下面と上記押部４５ａの接続部材４５ｂの上面との間に、第１軸体４４を上側へ付勢するための第３バネ（スプリング）４９が設けられると共に、上記押部４５ａの接続部材４５ｂの下面と上記受け部４３側の支持板４７の上面との間に、第２軸体４５を上側へ付勢するための第４バネ５０が設けられる。
【００２７】
このような送気／送水操作部（送気管及び送水管開閉機構）３９によれば、中心部上側に突出した１段目押部４４ａが押されると、第１軸体４４が単独で下側へ移動（往動）し、その連結路４４Ｅを送気管４１に連通させることで、送気管４１を開にし、更に２段目押部４５ａが押されると、第２軸体４５が第１軸体４４と共に下側へ移動し、その連結路４５Ｅを送気管４２に連通させることで、送水管４２を開にすることができる。
【００２８】
このような内視鏡装置によれば、自動復帰式シリンジにおいて、図１（Ａ）の基本状態から親指等で押体２８の第１段目の押し操作をすると、図５（Ｂ）で説明したように、押体２８がピストン体側へ移動して囲い体３０の内面がＯリング２７から離れ、囲い体３０内空間、通気溝Ｅ１、円形開口３０ａ、通気溝Ｅ２からなる第２通気路２６が開状態となる。次いで、押体２８の第２段目の押し操作をすると、外部の空気が第２通気路２６、第１通気路２２を介して筒体１５内へ供給されることで、図６のようにピストン体１６が先端側位置まで移動して停止し、シリンジ口２０からの送気が可能な状態（送気力チャージ状態）となる。
【００２９】
そして、内視鏡操作部３２の送気／送水操作部３９において、図７の状態から１段目押部４４ａを押すと、図８（Ａ）のように、第１軸体４４が単独で下側へ移動し、その連結路４４Ｅが送気管４１に接続されることで、送気管４１が開状態となるので、上記自動復帰式シリンジのシリンジ口２０から、連結チューブ３６ａ、送気ポート３３及び送気管４１を介して、観察窓へ送気が行われる。次いで、２段目押部４５ａを押すと、図８（Ｂ）のように、第２軸体４５が第１軸体４４と共に下側へ移動し、その連結路４５Ｅが送水管４２に接続されることで、送水管４２が開状態となるので、シリンジ口２０から、連結チューブ３６ｂを介して送水タンク３７内へ送気が行われることになり、これによって、送水タンク３７内の洗浄水等が連結チューブ２６ｃ、送水ポート３４及び送水管４２を介して、観察窓へ送水が行われる。
【００３０】
このような送気／送水操作部３９の操作によれば、必要な少量の送気又は送水を適宜かつ容易に行うことができるという利点がある。また、自動復帰式シリンジのピストン体１６が完全に元の位置へ復帰したときには、押操作部１８によるピストン体１６の押し操作を繰り返すことで、量に制限のない送気又は送水が可能となる。
【図面の簡単な説明】
【００３１】
【図１】本発明の実施例に係る自動復帰式シリンジの構成を示し、図（Ａ）は不操作時の断面図、図（Ｂ）は押し操作時の断面図である。
【図２】実施例の自動復帰式シリンジの構成を示す分解斜視図である。
【図３】実施例の自動復帰式シリンジの斜視図である。
【図４】実施例の自動復帰式シリンジの押操作部の構成を示し、図（Ａ）は小円板部を後端側から見た図、図（Ｂ）は小円板部の縦断面図、図（Ｃ）は囲い体の縦断面図、図（Ｄ）は囲い体を先端側から見た図である。
【図５】実施例の自動復帰式シリンジの押操作部を拡大したもので、図（Ａ）は不操作時の断面図、図（Ｂ）は押操作時の断面図である。
【図６】実施例に係る自動復帰式シリンジを用いた内視鏡装置の構成で、押し操作時の状態を示す斜視（一部断面）図である。
【図７】実施例に係る内視鏡装置の送気／送水操作部の構成を示す断面図である。
【図８】実施例の送気／送水操作部の構成を示し、図（Ａ）は１段目押部を操作した時の断面図、図（Ｂ）は２段目押部を操作したときの断面図である。
【図９】従来の内視鏡装置の構成を示す図である。
【図１０】従来の内視鏡装置の送気／送水操作部の構成を示す断面図である。
【符号の説明】
【００３２】
３ｂ，４１…送気管、      ３ｃ，４２…送水管、
１５…筒体、              １５ａ…開口、
１６…ピストン体、        １６ａ…ピストン部（摺動部）、
１６ｂ…軸部、            １６ｃ…支持円板部、
１６ｄ…小円板部、        １７…第１バネ、
１８…押操作部、          ２０…シリンジ口、
２２…第１通気路、        ２６…第２通気路、
２７…Ｏリング、          ２８…押体、
２９…第２バネ、          ３０…囲い体、
３９…送気／送水操作部、  ４３…受け部、
４４…第１軸部、          ４４ａ…１段目押部、
４５…第２軸部、          ４５ａ…２段目押部、
４４Ｅ，４５Ｅ…連結路、  Ｅ１，Ｅ２…通気溝。
【図１】
2010046333.tif 000003
【図２】
2010046333.tif 000004
【図３】
2010046333.tif 000005
【図４】
2010046333.tif 000006
【図５】
2010046333.tif 000007
【図６】
2010046333.tif 000008
【図７】
2010046333.tif 000009
【図８】
2010046333.tif 000010
【図９】
2010046333.tif 000011
【図１０】
2010046333.tif 000012